(57)【特許請求の範囲】
【請求項１】
裏蓋（３）によって閉じられるケース中間部（２）を有する携行可能な物（１）であって、
当該携行可能な物（１）内には、電子モジュール（１０）が配置されており、プリント回路基板（６）が固定されるプレート（４）を有し、
前記プリント回路基板は、少なくとも１つの集積回路（７）の少なくとも１つの入力に接続されている少なくとも１つの接触領域（８）を支えており、
前記集積回路は、電子的信号処理デバイスに少なくとも１つの信号を供給し、
当該携行可能な物は、さらに、少なくとも、前記裏蓋（３）が前記ケース中間部（２）に固定されていることを表す第１の位置から、前記裏蓋が前記ケース中間部に固定されていないことを表す第２の位置へ移行する検出メンバー（９）を有し、
前記検出メンバー（９）は、前記検出メンバー（９）の前記第１の位置又は前記第２の位置の一方において、前記裏蓋が前記接触領域（８）に電気的に接続しているように構成されており、これによって、前記第１の位置から前記第２の位置へと移行すると前記集積回路の前記入力の論理レベルが変わり、
この前記第１の位置から前記第２の位置への移行によって、前記電子モジュールのスタンバイモードへの移行が自動的に行われ、
前記検出メンバー（９）は、前記プリント回路基板（６）に固定される第１の端（９１ａ）及び第２の端（９１ｂ）を有するらせん状のばね（９１）と、及び前記ばね（９１）の内径によって形成される空間に配置されるピン（９３）とを有し、
このピンは、平坦な頭（９４）が設けられている第１のピン端と、及び前記ばね（９１）の前記第２の端（９１ｂ）に固定される第２のピン端（９３ｂ）とを有し、
このピン（９３）は、前記ピンの前記頭が前記接触領域（８）に接続することができるように、前記プレートと前記プリント回路基板を通り抜けるように構成している
ことを特徴とする携行可能な物。
【請求項２】
前記少なくとも１つの接触領域（８）は、前記ピンの前記平坦な頭がこのループを閉じることができるような、開いたループを形成する電気路（８３）を有する
ことを特徴とする請求項１に記載の携行可能な物。
【請求項３】
前記ばねは、らせん状である
ことを特徴とする請求項１又は２に記載の携行可能な物。
【請求項４】
前記スタンバイモードでは、少なくとも１つの設定がバックアップされ、前記電子的信号処理デバイスがオフにスイッチングされる
ことを特徴とする請求項１〜３のいずれかに記載の携行可能な物。
【請求項５】
前記電子的信号処理デバイスは、少なくとも１つのデジタルディスプレーを有する
ことを特徴とする請求項４に記載の携行可能な物。
【請求項６】
前記電子的信号処理デバイスは、さらに、少なくとも１つの針を有し、前記集積回路は、前記スタンバイモードにおいて前記少なくとも１つの針を休止位置に動かす
ことを特徴とする請求項４又は５に記載の携行可能な物。
【請求項７】
腕時計である
ことを特徴とする請求項１〜６のいずれかに記載の携行可能な物。
【発明の詳細な説明】
【技術分野】
【０００１】
本発明は、裏蓋によって閉じられるケース中間部を有する携行可能な物に関し、当該携行可能な物内には、電子モジュールが配置されており、プリント回路基板が固定されるプレートを有し、前記プリント回路基板は、少なくとも１つの集積回路の少なくとも１つの入力に接続されている少なくとも１つの接触領域を支えており、前記集積回路は、電子的信号処理デバイスに少なくとも１つの信号を供給し、当該携行可能な物は、さらに、少なくとも、前記裏蓋が前記ケース中間部に固定されていることを表す第１の位置から、前記裏蓋が前記ケース中間部に固定されていないことを表す第２の位置への移行を検出する検出メンバーを有する。
【背景技術】
【０００２】
本発明は、電子的ないし電気的モジュールを収容するためのケース中間部及び裏蓋を少なくとも有する計時器構造に関する。このモジュールは、針やＬＣＤディスプレーのような表示手段を介して時間的情報を提供し時間的情報を表示するように構成している。このモジュールはそれ自身、電気エネルギー蓄積器、特に、電池、を受けるように構成しているコンパートメントを形成するプレートを有する。このプレートは、電気エネルギー蓄積器が配置されるコンパートメントがこのプレートの全表面のほとんどを占めるように構成している。例えば、プレートのコンパートメントが、そのコンパートメントを定める周部を例外として、プレートの全表面を占めるようにすることを思い描くことができる。このことによって、携行可能な物が、電気エネルギーをより多く蓄積し、よって、出力が大きく又は寿命が長いような電気エネルギー蓄積器を用いて動作することが可能になる。
【０００３】
このモジュールは、さらに、プレートに固定されるプリント回路基板を有し、この上に、電子部品が配置される。これは、例えば、マイクロコントローラ又はメモリーのような少なくとも１つの集積回路である。これらの集積回路は、表示される時刻又は日付のような時間的情報を提供するために用いられる。
【０００４】
電池が交換されるときには、ユーザーは、前もって腕時計をスタンバイモードとする必要がある。このスタンバイモードでは、表示手段において、針が正午に位置しＬＣＤディスプレーのスイッチが切られる。このモードは、さらに、時間を内部的にカウントすることを継続しつつ、異なる設定をバックアップすることを伴う。キャパシターが、特定時間、電池としてはたらくことができる。この設定は、ほとんど知られておらず複雑である。なぜなら、腕時計設定モードにすることが必要であるからである。
【０００５】
結果的に、電池を交換するユーザーは、わざわざスタンバイモードにしない。このように、電池を外すと、電力供給が中断し、したがって、腕時計の機能を止めてしまう。したがって、時間的情報は失われる。このことは、ユーザーが電池を交換すると腕時計がリセットしてしまうことを意味する。
【発明の概要】
【発明が解決しようとする課題】
【０００６】
本発明は、付加的な事前の操作を必要としないので電池交換を単純に行うことができ、信頼性が高いような、携行可能な物、特に、腕時計、を提供することを提案することによって従来技術の課題を克服することを目的とする。
【課題を解決するための手段】
【０００７】
このために、本発明は、裏蓋によって閉じられるケース中間部を有する携行可能な物に関し、当該携行可能な物内には、電子モジュールが配置されており、プリント回路基板が固定されるプレートを有し、前記プリント回路基板は、少なくとも１つの集積回路の少なくとも１つの入力に接続されている少なくとも１つの接触領域を支えており、前記集積回路は、電子的信号処理デバイスに少なくとも１つの信号を供給し、当該携行可能な物は、さらに、少なくとも、前記裏蓋が前記ケース中間部に固定されていることを表す第１の位置から、前記裏蓋が前記ケース中間部に固定されていないことを表す第２の位置への移行を検出する検出メンバーを有し、前記検出メンバーは、前記検出メンバーの第１の位置又は第２の位置の一方において、前記裏蓋は、前記接触領域に電気的に接続しており、これによって、前記第１の位置から前記第２の位置への移行によって、前記集積回路の入力における論理レベルが変わり、前記電子モジュールがスタンバイモードに自動的に移行する。
【０００８】
第１の好ましい実施形態において、  前記検出メンバーは、第１の端及び第２の端を有する金属ばねを有し、
前記プレートは、前記ばねが入る孔を有し、
前記ばねは、その前記第１の端を介して前記プリント回路基板に固定され、
これによって、前記検出メンバーは、前記少なくとも１つの接触領域に電気的に接続される。
【０００９】
第２の好ましい実施形態において、前記少なくとも１つの接触領域は、前記少なくとも１つの集積回路の前記少なくとも１つの入力に接続される電気路と、及び前記ばねの前記第２の端が固定されるメタライゼーションを有する。
【００１０】
第３の好ましい実施形態において、前記検出メンバーは、前記プリント回路基板に固定される第１の端及び第２の端を有するらせん状のばねと、及び前記ばねの内径によって形成される空間に配置されるピンとを有し、
このピンは、平坦な頭が設けられている第１のピン端と、及び前記ばねの前記第２の端に固定される第２のピン端とを有し、
このピンは、前記ピンの前記頭が前記接触領域に接続することができるように、前記プレートと前記プリント回路基板を通り抜けるように構成している。
【００１１】
第４の好ましい実施形態において、前記少なくとも１つの接触領域は、前記ピンの前記平坦な頭がこのループを閉じることができるような、開いたループを形成する電気路を有する。
【００１２】
第５の好ましい実施形態において、前記ばねは、らせん状である。
【００１３】
別の好ましい実施形態において、前記スタンバイモードでは、少なくとも１つの設定がバックアップされ、前記電子的信号処理デバイスがオフにスイッチングされる。
【００１４】
別の好ましい実施形態において、前記電子的信号処理デバイスは、少なくとも１つのデジタルディスプレーを有する。
【００１５】
別の好ましい実施形態において、前記電子的信号処理デバイスは、さらに、少なくとも１つの針を有し、前記集積回路は、前記スタンバイモードにおいて前記少なくとも１つの針を休止位置に動かす。
【００１６】
別の好ましい実施形態において、当該携行可能な物は、腕時計である。
【００１７】
添付図面を参照しながら下記の詳細な説明を読むことで、本発明の他の特徴及び利点を理解することができるであろう。
【図面の簡単な説明】
【００１８】
【図１】本発明の第１の実施形態の概略図である。
【図２】本発明の第１の実施形態の概略図である。
【図３】本発明の第２の実施形態の概略図である。
【図４】本発明の第２の実施形態の概略図である。
【図５】本発明の第２の実施形態による検出メンバーの概略図である。
【発明を実施するための形態】
【００１９】
本発明は、測時技術の分野に関し、より詳細には、セル電池のような蓄積器によってエネルギー供給される少なくとも１つの電子的ないし電気的な回路を有する腕時計の分野又はこれに類似する分野に関する。本発明は、特に、腕時計である、計時器１００の構造１に関する。これは、図１に示す電子的ないし電気的アセンブリーないしモジュール１０を収容するケース中間部２及び裏蓋３を少なくとも有する。このケース中間部２は、裏蓋３によって閉じられる。これによって、腕時計ケースを形成することが可能になる。また、このケース中間部は、風防によっても閉じられる。このモジュール１０は、電子的信号処理デバイスに信号を供給するように構成している。この信号は、針やＬＣＤデジタルディスプレーのような表示手段に送信される時間的情報であることができる。このモジュール１０は、次には、プレート４を有し、そのコンパートメント４１は、電気エネルギー蓄積器５、特に、セル電池、を受けるように構成している。プレート４は、電気エネルギー蓄積器が配置されるコンパートメント４１がこのプレート４のほぽ全表面を占めるように構成することができる。例えば、プレート４のコンパートメント４１が、このコンパートメント４１の形を定める周部を例外として、プレートの全表面を占めるようにすることを思い描くことができる。このことによって、電気エネルギーが大きく、よって、出力が大きく又は寿命が長い電気エネルギー蓄積器を用いて携行可能な物を動作させることが可能になる。
【００２０】
このモジュール１０は、さらに、プレート４に固定されるプリント回路基板６を有し、この上に、少なくとも１つの集積回路７及び少なくとも１つの電気的接触領域８が配置されている。例えば、集積回路７は、マイクロコントローラ又はメモリーである。電子モジュール１０はもちろん、マイクロコントローラとメモリーを有することができる。
【００２１】
本発明によれば、モジュール１０は、さらに、ケース３が閉じていることを検出するメンバー９を有する。好ましくは、この検出メンバー９は、弾性検出メンバーである。この検出メンバーは、裏蓋３がケース中間部２に固定されていることを表すような少なくとも第１の位置から、裏蓋３がケース中間部２に固定されていないことを表す第２の位置へと移行するように構成する。
【００２２】
図１及び２に示す第１の実施形態では、検出メンバー９は、金属製の裏蓋の存在を検出することができる。このような場合、検出メンバー９は、プレート４に固定され接触部品としてはたらく金属ばね９１を有する。このばね９１は、第１の端９１ａ及び第２の端９１ｂを有する。このために、プレート４の周領域には、貫通孔４２が設けられている。検出メンバーは、この貫通孔４２内に配置される。ばね９１は、その第１の端９１ｂによってプリント回路基板６に固定され、これは、概して、プレート４に接するプリント回路基板６の面に固定される。プリント回路基板６は、検出メンバーを形成するばねの端が接触領域８に接続されるように構成する。例えば、接触領域８は、プリント回路基板６上の電気路８１及びメタライゼーション８２によって形成することができる。これによって、プレート４に接するプリント回路基板６の面に固定されるばね９１が、電気路８１に電気的に接続することが可能になる。
【００２３】
図１に示すように裏蓋３がケース中間部２に固定されていないときには、ばね９１の第２の端９１ｂは自由である。すなわち、他のいずれの要素にも接していない。
【００２４】
図２に示すように、裏蓋３がケース中間部２に固定されているときには、ばね９１の第２の端９１ｂは、裏蓋３と接触しており、ばね９１は、縮んでいる。結果的に、裏蓋３は、金属ばね９１を介して接触領域８に電気的に接続されるようになる。立ち上がりエッジと高論理レベルが集積回路７によって検出される。これは、裏蓋３が取り付けられていることを示すものである。
【００２５】
裏蓋３がケース中間部２から分離しているときには、ばねに及ぼされる応力はなくなっており、また、ばね９１の第２の端９１ｂは、裏蓋３と接しなくなっている。結果的に、集積回路７は立ち下がりエッジと低論理レベルを検出する。これは、裏蓋３が外されていることを示す。
【００２６】
裏蓋３が外されていることを示すこのような立ち下がりエッジと低論理レベルの検出は、集積回路７によって、電池５の交換の前に発生するステップが行われていると解釈される。この電池交換が行われるということは、電子モジュール１０に所定期間電気エネルギーが供給されないということである。そして、電子モジュール１０は、スタンバイモードないし「スリープ」モードに自動的に移行する。このスタンバイモードは、電子的信号処理デバイスが待機状態になるという特徴を有する。表示手段は、針が正午に位置して一又は複数のＬＣＤディスプレーがオフにスイッチングされるように構成する。また、このモードは、内部的に時間のカウントを継続しつつ、各種設定をバックアップすることを伴う。この設定は、データや時間的な設定であることができる。特定期間キャパシターを電池としてはたらかせることができる。
【００２７】
この特徴によって、好ましいことに、スタンバイモードへの自動的な移行が可能になる。これは、ユーザーに対して完全に自動的に、感知されずに行うことができ、したがって、ユーザーが移行を実行する必要はない。
【００２８】
裏蓋３がケース中間部２に再び固定されるようになれば、裏蓋３は、金属ばね９１を介して接触領域８に電気的に接続される。立ち上がりエッジと高論理レベルが集積回路７によって検出される。このことは、裏蓋３が取り付けられていることを表している。そして、集積回路７によって、スタンバイモードから、針及び／又はＬＣＤディスプレーによって時刻が表示されるような通常モードに移行する。
【００２９】
図３及び４の第２の実施形態では、検出メンバー９によって、任意の材料、特に、プラスチック、で作られた裏蓋の存在を検出することができる。この場合において、検出メンバー９は、プレート４に取り付けられたばね９１を有し、これは、金属であっても非金属であってもよい。このばね９１は、第１の端９１ａ及び第２の端９１ｂを有する。このために、プレート４の周領域に、貫通孔４２が設けられている。検出メンバー９は、貫通孔４２内に配置される。検出メンバー９は、その第１の端９１ｂによってプリント回路基板６に固定される。これは、一般的には、プレート４と接するプリント回路基板６の面に固定される。このばねは、戻し部品としてはたらく。
【００３０】
実際に、図５に示す検出メンバー９は、さらに、接触要素９２を有する。この接触要素９２は、２つのピン端９３ａ、９３ｂを有するピン９３を有する。第１のピン端９３ａにおいて、平坦な頭９４があり、これは、ピン９３の第２のピン端９３ｂが自由であるように構成する。このピン９３は、らせん状のばね９１の内径によって形成される空間に配置される。ピン９３の自由端は、ばね９１の第２の端９１ｂに固定される。また、ピン９３も、貫通孔４２内に配置されるように構成している。これによって、ピン９３の頭９４が接触領域８に接続する。このために、プリント回路基板６は、さらに、ピン９３が通り抜ける穴を有する。そして、この接触領域８が、プリント回路基板６上の電気路８３によって形成される。この電気路８３は、前記穴によって２つに分断される。例えば、電気路８３は、ピン９３の頭９４によって開いたり閉じたりすることができるループを形成する。
【００３１】
図４に示すように、裏蓋３がケース中間部２に取り付けられているときには、ばね９１の第２の端９１ｂは、裏蓋３と接触しており、そのとき、ばね９１は縮んでいる。結果的に、ばね９１に取り付けられたピン９３は、ばね９１の縮みを追跡する。したがって、ピン９３の平坦な頭は、接触領域８と接しない。したがって、ループを形成する電気路８３は、開いている。そして、立ち下がりエッジ及び低論理レベル「０」が検出される。この第２の実施形態の場合には、この論理レベルは、裏蓋３が取り付けられていることを意味するように解釈される。
【００３２】
図３に示すように裏蓋３がケース中間部２から外されているときには、ばね９１の第２の端９１ｂは自由になる。すなわち、他のいずれの要素にも接していない。結果的に、ばね９１には、いずれの応力をもかけられておらず、緩む。結果的に、ピン９３の平坦な頭９４は、接触領域８と接触する。そして、ループを形成する電気路８３は閉じる。このようにして、立ち上がりエッジ及び高論理レベル「１」が検出される。第２の実施形態の場合には、この論理レベルは、裏蓋３が取り付けられていないことを意味するように解釈される。
【００３３】
裏蓋３が外されたことを意味する高論理レベルが検出されると、集積回路７によって、電池５の交換の前に発生するステップが行われていると解釈される。このような電池５の交換は、所定期間電子モジュール１０に電気エネルギーが供給されなくなるということを意味する。そして、集積回路７によって、スタンバイモードないし「スリープ」モードに自動的に移行する。
【００３４】
なお、裏蓋３がケース中間部に再び取り付けられると、前記電気路によって形成されるループが開かれるように、ピンの平坦な頭が動く。集積回路７は、動作モードが移行したと解釈し、通常モードに再び戻る。
【００３５】
ばね９１は、接着剤、溶接、ろう付け又は他の可能な方法を用いることによって、プリント回路基板６に固定することができる。
【００３６】
添付の請求の範囲によって定められる本発明の範囲から逸脱せずに、上記の本発明の様々な実施形態に対して、当業者にとって明白な様々な変更、改良及び／又は組み合わせを行うことができることは明らかであろう。
【図１】
0006293868.tif 000002
【図２】
0006293868.tif 000003
【図３】
0006293868.tif 000004
【図４】
0006293868.tif 000005
【図５】
0006293868.tif 000006